(57)【特許請求の範囲】
【請求項１】
ダミー光を生成するダミー光生成手段と、
前記ダミー光に含まれる光の波長に含まれる波長選択肢から選択した第一波長と、予め設定された複数の送信電力選択肢から自通信装置の通信状況である第一の通信状況に応じて選択した前記自通信装置の送信電力である第一送信電力と、を設定する設定手段と、
前記ダミー光から前記第一波長の光を生成する生成手段と、
前記第一波長の光を、前記第一送信電力の第一光に調整する調整手段と、
前記第一光と、所定の通信用の光である通信光とを、時間軸上で互いに重ならないように合波した合波光を、他の通信装置に送付する合波手段と、
を備え、
前記他の通信装置は、前記第一光の受信電力である第一受信電力から、前記第一の通信状況を取得するものであり、
前記第一光が、第１−１送信電力の第１−１光と、前記第１−１光を平均送信電力に対して反転させた第１−２送信電力の第１−２光とを、時間軸上で互いに重ならないように組み合わせたものである、
通信装置。
【請求項２】
前記第一の通信状況を取得する第一取得手段をさらに備える、請求項１に記載された通信装置。
【請求項３】
前記第一の通信状況が受信状況又は送信状況である、請求項１又は請求項２に記載された通信装置。
【請求項４】
自らの識別情報を備え、
前記設定手段が、前記波長選択肢から選択した第二波長と、予め設定された複数の通信装置選択肢から前記識別情報に応じて選択した第二送信電力と、を設定し、
前記生成手段が、前記第二波長の光を前記ダミー光から生成し、
前記調整手段が、前記第二波長の光を、前記第二送信電力の第二光にし、
前記合波手段が、前記第二光と前記通信光とを、時間軸上で互いに重ならないように合波した光とを、前記他の通信装置に接続された光ファイバに入力し、
前記他の通信装置は、前記第二光に係る受信電力である第二受信電力から、前記識別情報を取得するものである、
請求項１乃至請求項３のうちのいずれか一に記載された通信装置。
【請求項５】
前記第二光が、第２−１送信電力の第２−１光と、前記第２−１光を平均送信電力に対して反転させた第２−２送信電力の第２−２光とを、時間軸上で互いに重ならないように組み合わせたものである、請求項４に記載された通信装置。
【請求項６】
前記設定手段が、前記波長選択肢から選択した第三波長と、前記送信電力選択肢から第二の通信状況に応じて選択した第三送信電力と、を設定し、
前記生成手段が、前記第三波長の光を前記ダミー光から生成し、
前記調整手段が、前記第三波長の光を、前記第三送信電力の第三光にし、
前記合波手段が、前記第三光と前記通信光とを、時間軸上で互いに重ならないように合波した光を、前記他の通信装置に接続された光ファイバに入力し、
前記他の通信装置は、前記第三光に係る受信電力である第三受信電力から、前記第二の通信状況を取得するものである、
請求項１乃至請求項５のうちのいずれか一に記載された通信装置。
【請求項７】
前記第三光が、第３−１送信電力の第３−１光と、前記第３−１光を平均送信電力に対して反転させた第３−２送信電力の第３−２光とを、時間軸上で互いに重ならないように組み合わせたものである、請求項６に記載された通信装置。
【請求項８】
前記第二の通信状況を取得する第二取得手段をさらに備える、請求項６又は請求項７に記載された通信装置。
【請求項９】
第一の通信装置内で生成されたダミー光に含まれる光の波長に含まれる波長選択肢から選択した第一波長と、予め設定された複数の送信電力選択肢から前記第一の通信装置の通信状況である第一の通信状況に応じて選択した前記第一の通信装置の第一送信電力と、を設定し、
前記ダミー光から前記第一波長の光を生成し、
前記第一波長の光を、前記第一送信電力の第一光に調整し、
前記第一光と、所定の通信用の光である通信光とを、時間軸上で互いに重ならないように合波した合波光を、他の通信装置に送付し、
前記第一光が、第１−１送信電力の第１−１光と、前記第１−１光を平均送信電力に対して反転させた第１−２送信電力の第１−２光とを、時間軸上で互いに重ならないように組み合わせたものである、
前記第一の通信装置、
が送付する前記第一光の受信電力である第一受信電力から、前記第一の通信状況を取得する取得手段を備える通信機器。
【発明の詳細な説明】
【技術分野】
【０００１】
本発明は、通信状況を監視する方法に関する。
【背景技術】
【０００２】
波長多重伝送システムにおいては高速大容量化と多機能化が進み、それにともない、より複雑なリング構成及びメッシュ構成の導入が進んでいる。当該複雑化にともない、伝送路における通信状況の監視の重要性が高まっている。【０００３】
そのため、監視装置により、波長多重伝送システム全体の通信状況を監視することが行われている。その場合の通信方法としては、端局装置間のオーバヘッド通信を用いたインライン通信や装置外の専用回線を使用するアウトライン通信が用いられる。【０００４】
なお、特許文献１は、帯域濾波手段、及び、送信データを変調した単波長又は波長多重された信号光と、前記帯域濾波手段により透過された信号光とを合波し、合波された信号光を出力する波長多重伝送装置を開示する。【０００５】
また、特許文献２は、複数の光伝送装置を有し，隣接する２つの光伝送装置が現用伝送路及び予備伝送路により接続され，いずれか一方の光伝送路により光信号が伝送される光通信システムを開示する。
【先行技術文献】
【特許文献】
【０００６】
【特許文献１】特開２０１３−１５７６５５号公報
【特許文献２】国際公開第２００３／０４９３３０号
【発明の概要】
【発明が解決しようとする課題】
【０００７】
しかしながら、監視装置により波長多重伝送システム全体を監視する方法は、インライン通信を用いた場合には障害時に通信ができなくなる問題がある。また、当該方法は、アウトライン通信を用いた場合には、国間を跨ぐため品質が不安定な場合があることが課題である。【０００８】
本発明は、安定した通信状況の監視を可能にし得る通信システム等の提供を目的とする。
【課題を解決するための手段】
【０００９】
本発明の通信装置は、ダミー光に含まれる光の波長に含まれる波長選択肢から選択した第一波長と、予め設定された複数の送信電力選択肢から第一の通信状況に応じて選択した第一送信電力と、を設定する設定部と、前記ダミー光から前記第一波長の光を生成する生成部と、前記第一波長の光を、前記第一送信電力の第一光に調整する調整部と、前記第一光と所定の通信用の光である通信光とを時間軸上で互いに重ならないように合波した合波光を、他の通信装置に送付する合波部と、を備え、前記他の通信装置が、前記第一光の受信電力である第一受信電力から、前記第一の通信状況を取得するものである。
【発明の効果】
【００１０】
本発明の通信システム等は、より安定した通信状況の監視を可能にし得る。
【図面の簡単な説明】
【００１１】
【図１】本実施形態の通信システムの構成例を表す概念図である。
【図２】第一ルート用及び第二ルート用のそれぞれに用いられる光信号を表す概念図である。
【図３】第一情報、第二情報及び第三情報の組合せの表す内容例の表である。
【図４】図２に表す信号を端局１０１ｂに送付するための各端局の構成例を表す概念図である。
【図５】図４に表す（１）乃至（５）の各段階における光信号を表すイメージ図である。
【図６】本実施形態の通信装置の最小限の構成を表すブロック図である。
【発明を実施するための形態】
【００１２】
図１は、本実施形態の通信システムの例である通信システム１００の構成を表す概念図である。
【００１３】
通信システム１００は、例えば、海底ケーブルに適用されることが想定されたケーブルシステムである。
【００１４】
通信システム１００は、端局１０１ａ乃至１０１ｃと、分岐装置１４１ａとを備える。
【００１５】
端局１０１ａは、終端装置１１６ａと、ＷＤＭ１１１ａとを備える。ここで、ＷＤＭは波長多重装置を意味する。これらについては、以下の説明においても同様である。
【００１６】
また、端局１０１ａは自らの識別情報を、図示しない記録部に保持している。
【００１７】
終端装置１１６ａは、外部から入力された電気信号を、ＷＤＭ１１１ａにおいて所定の光信号に変換させた後に、端局１０１ｂに向けて送付する。
【００１８】
終端装置１１６ａは、端局１０１ｂへの信号の送付を、同一の信号について、次の二つのルートで行う。
【００１９】
前記二つのルートの一つ目は、第一ルート回線１０６による第一ルートである。第一ルートでは、ＷＤＭ１１１ａが送付した光信号は、端局１０１ｃを経由せずに、端局１０１ｂに送付される。
【００２０】
前記二つのルートの二つ目は、第二ルート回線１０７による第二ルートである。第二ルートでは、ＷＤＭ１１１ａが送付した光信号は、端局１０１ｃを経由した上で、端局１０１ｂに送付される。
【００２１】
終端装置１１６ａは、また、ＷＤＭ１１１ａから送られた電気信号を変換し、変換後の信号を外部に出力する。
【００２２】
ＷＤＭ１１１ａは、終端装置１１６ａから入力された電気信号を、所定の波長の光信号に変換する。ＷＤＭ１１１ａは、当該電気信号を変換する光信号の波長を選択し、当該波長の光信号を生成する。ＷＤＭ１１１ａは、同時期に入力された他の電気信号を、他の波長の光信号に変換する。ＷＤＭ１１１ａは、同時期に生成した複数の波長の光信号を重畳し、光ケーブルに入力する。
【００２３】
端局１０１ｂは、終端装置１１６ｂと、ＷＤＭ１１１ｂとを備える。
【００２４】
端局１０１ｂの説明は、前述の端局１０１ａの説明において、端局１０１ａを端局１０１ｂに、終端装置１１６ａを終端装置１１６ｂに、ＷＤＭ１１１ａをＷＤＭ１１１ｂに、それぞれ、読み替えたものである。
【００２５】
端局１０１ｃは、終端装置１１６ｃと、ＷＤＭ１１１ｃとを備える。
【００２６】
端局１０１ｂの説明は、前述の端局１０１ａの説明において、端局１０１ａを端局１０１ｃに、終端装置１１６ａを終端装置１１６ｃに、ＷＤＭ１１１ａをＷＤＭ１１１ｃに、それぞれ、読み替えたものである。
【００２７】
図２は、第一ルート用及び第二ルート用のそれぞれに用いられる、図１に表す端局１０１ａからの光信号を表す概念図である。
【００２８】
端局１０１ａが、第一ルート用に出力する光信号と、第二ルート用に出力する光信号とは、同じタイミングにおいては同じレベルである。
【００２９】
そして、双方の光信号は、ダミー光と運用回線光との繰り返しからなる一連の光信号と、情報送付用ダミー光とを備える。
【００３０】
情報送付用ダミー光は、所定の波長間隔に分けられたＡＳＥダミー光のうちの任意の複数の波長から構成される。そして、情報送付用ダミー光に含まれる各ビットにおいては、各波長における光の電力が複数の値に設定されている。情報送付用ダミー光は、この複数の波長の光の電力の組合せにより、各端局における光通信に係る通信状況の評価結果の他の端局への伝達を可能するものである。
【００３１】
情報送付用のダミー光は、より具体的には、ビットＡ、ビットＡ’、ビットＢ、ビットＢ’、ビットＣ、ビットＣ’の、連続した６ビットからなる。そして、各ビットは、＋１の状態と、０の状態と、−１の状態との、３値をとり得る。
【００３２】
ビットＡとビットＡ’との組合せは、第一情報ＡＡを表す。ビットＡとビットＡ’の状態は反転している。すなわち、ビットＡとビットＡ’とは、平均すると、０の状態になる。このように、互いに反転した二つのビットで一つの情報をあらわすことにより、情報送付用ダミー光及び当該情報送付用ダミー光を含む光信号の電力の変動を抑えることが可能になる。
【００３３】
図２に表すように、ビットＡの状態とビットＡ’の状態との組合せが１と−１の状態の場合、ビットＡとビットＡ’との組合せは、例えば、第一情報ＡＡが−１であることを表すこととする。
【００３４】
一方、図２には表さないが、ビットＡ及びビットＡ’の状態が共に０の場合は、第一情報ＡＡが０であることを表す。
【００３５】
そして、第一情報ＡＡが−１であることは、例えば、後述の第三情報ＣＣにより表される端局における送信状況が、異常であることを表すことにする。また、第一情報ＡＡが０であることは、後述の第三情報ＣＣにより表される端局における送信状況が例えば、正常であることを表すことにする。
【００３６】
なお、ビットＡ及びビットＡ’が＋１の状態と−１の状態の組合せの場合において、ビットＡ及びビットＡ’のいずれが＋１であるかにより、異なる情報を表すこととしても構わない。その場合、例えば、ビットＡが＋１である場合の第一情報ＡＡを、前記端局における送信状況が正常であることに対応させることが可能である。そして、ビットＡ’が＋１である場合の第一情報ＡＡを、例えば、前記端局における送信状況が不明であることに対応させることが可能である。
【００３７】
ビットＢとビットＢ’との組合せは、第二情報ＢＢを表す。ビットＢとビットＢ’の状態は反転している。すなわち、ビットＢとビットＢ’とは、平均すると、０の状態になる。このように、互いに反転した二つのビットで一つの情報をあらわすことにより、情報送付用ダミー光及び当該情報送付用ダミー光を含む光信号の電力の変動を抑えることが可能になる。
【００３８】
図２に表すように、ビットＢの状態が−１であり、ビットＢ’の状態が＋１の場合、ビットＢとビットＢ’との組合せは、第二情報ＢＢが−１であることを表すこととする。
【００３９】
一方、図２には表さないが、ビットＢが及びビットＢ’の状態が共に０の場合は、例えば、第二情報ＢＢが０であることを表すこととする。
【００４０】
そして、第二情報が−１であることは、例えば、後述の第三情報により表される端局における受信状況が異常であることを表すこととする。また、第二情報が０であることは、例えば、当該端局における受信状況が正常であることを表すこととする。
【００４１】
なお、ビットＢ及びビットＢ’が＋１の状態と−１の状態の組合せの場合において、ビットＢ及びビットＢ’のいずれが１であるかにより、異なる情報を表すこととしても構わない。その場合、例えば、ビットＢが１である場合の第二情報を、前記端局における受信状況が正常であることに対応させることが可能である。そして、ビットＢ’が１である場合の第二情報を、例えば、前記端局における受信状況が不明であることに対応させることが可能である。
【００４２】
ビットＣとビットＣ’との組合せは、第三情報ＣＣを表す。ビットＣとビットＣ’の状態は反転している。すなわち、ビットＣとビットＣ’とは、平均すると、０の状態になる。このように、互いに反転した二つのビットで一つの情報をあらわすことにより、情報送付用ダミー光及び当該情報送付用ダミー光を含む光信号の電力の変動を抑えることが可能になる。
【００４３】
ビットＣ及びビットＣ’が共に０の状態の場合、ビットＣとビットＣ’との組合せは、第三情報ＣＣが０であることを表す。
【００４４】
また、図２には表さないが、ビットＣの状態が＋１でありビットＣ’の状態が−１の場合は、第三情報ＣＣが＋１であることを表す。
【００４５】
また、図２には表さないが、ビットＣの状態が−１でありビットＣ’の状態が＋１の場合は、第三情報ＣＣが−１であることを表す。
【００４６】
そして、第三情報が−１であることは、前記第一情報により表される送信状況及び前記第二情報により表される受信状況が、例えば、端局１０１ａについてのものであることを表すこととする。
【００４７】
また、第三情報が０であることは、前記第一情報により表される送信状況及び前記第二情報により表される受信状況が、例えば、端局１０１ｂについてのものであることを表すこととする。
【００４８】
また、第三情報が＋１であることは、前記第一情報により表される送信状況及び前記第二情報により表される受信状況が、例えば、端局１０１ｃについてのものであることを表すこととする。
【００４９】
なお、情報を表現させるＡＳＥダミー光は、同一ルート内に含まれるＡＳＥダミー光波長群の中から選択する。
【００５０】
図２に表す情報送付用ダミー光において、ビットＡにはＡＳＥダミー光から選択した波長λ１の光を用いたとする。また、ビットＡ’にはＡＳＥダミー光から選択した波長λ２の光を用いたとする。また、ビットＢにはＡＳＥダミー光から選択した波長λ３の光を用いたとする。また、ビットＢ’にはＡＳＥダミー光から選択した波長λ４の光を用いたとする。また、ビットＣにはＡＳＥダミー光から選択した波長λ５の光を用いたとする。また、ビットＢにはＡＳＥダミー光から選択した波長λ６の光を用いたとする。
【００５１】
すると、図２に表す情報送付用ダミー光においては、ビットＡ（λ１）の状態は＋１であり、ビットＡ’（λ２）の状態は−１であり、ビットＢ（λ３）の状態は−１であり、ビットＢ’（λ４）の状態は＋１であり、ビットＣ（λ５）の状態は０であり、ビットＣ’（λ６）の状態は、０である。これら、ビットＡ、Ａ’、Ｂ、Ｂ’、Ｃ、Ｃ’の合計電力は０の状態になる。
【００５２】
上記は、ビットＡとＡ’との組合せ、ビットＢとＢ’との組合せ、ビットＣとＣ’との組合せが、−１、０、＋１のうちのいずれの情報を表す場合であっても同じである。
【００５３】
通信状況を監視する一つの方法として、ＡＳＥダミー光のＯＮ／ＯＦＦによる通信状況の監視が考えられる。しかしながら、ＡＳＥダミー光のＯＮ／ＯＦＦのみを使用して通信状況の良否を判断すると、ダミー光が途中で断となっても、中継器を複数段通過することで、ＡＳＥのパワーが上がる場合がある。その場合、ＡＳＥの電力増加分を見込んで各論理値の電力差を設ける必要がある。
【００５４】
上述のような、あるビットとその反転ビットとの組合せにより一つの情報を表すことにした場合には、情報送付用ダミー光にノイズ等がある程度重畳されたとしても、となり合う２ビットの電力の違いにより、当該組合せの表す情報を判別することができる。そのため、前記組合せにより一つの情報を表すことにした場合には、上記課題が解決され得る。
【００５５】
なお、情報送付用ダミー光用として選択される、ＡＳＥダミー光の波長間隔は、理論的には自由度が高い。前記波長間隔は、当該ダミー光に伝送により生じる波形の劣化を考慮して、例えば、２５Ｇｇｒｉｄ程度にすることが望ましい。
【００５６】
また、情報送付用ダミー光用における前記３値の間隔は、例えば、５ｄＢとする。
【００５７】
なお、一つの波長のダミー光について、一つの波長当たりに設定される電力を、４値以上に設定することも可能である。
【００５８】
図３は、上述の、第一情報ＡＡ、第二情報ＢＢ及び第三情報ＣＣの組合せの表す内容例を表す表である。図３中の各行の説明は、図２により明白なので、説明は省略する。なお、図３中における「ｒｅｓｅｒｖｅ」の表記は、対応する第一情報ＡＡ、第二情報ＢＢ及び第三情報ＣＣの組合せが、図１に表す通信システム１００において、用いられていないことを表す。これらの組合せを用いることもできるのは、前述の通りである。
【００５９】
次に、図１に表す端局１０１ａが、図２に表す信号を端局１０１ｂに送付するための、各端局の構成例を説明する。
【００６０】
図４は、図２に表す信号を端局１０１ｂに送付するための各端局の構成例を表す概念図である。
【００６１】
端局１０１ａは、図１に表す終端装置１１６ａ及びＷＤＭ１１１ａに加えて、制御装置１６６ａ及びダミー光生成装置１５１ａを備える。
【００６２】
ダミー光生成装置１５１ａは、ＣＰＬ１２１ａと、ＷＳＳ１２６ａと、ダミー光源１３１ａとを備える。ここで、ＣＰＬは、Ｃｏｕｐｌｅｒの略である。また、ＷＳＳは、Ｗａｖｅｌｅｎｇｔｈ  Ｓｅｌｅｃｔｉｖｅ  Ｓｗｉｔｃｈの略である。
【００６３】
制御装置１６６ａは、例えば外部から入力される信号により、ダミー光源１３１ａに対し、ＡＳＥダミー光の生成を行わせる。ここで、ＡＳＥは、Ａｍｐｌｉｆｉｅｄ  Ｓｐｏｎｔａｎｅｏｕｓ  Ｅｍｉｓｓｉｏｎの略である。
【００６４】
制御装置１６６ａは、また、ＷＳＳ１２６ａに対し、所定の波長数の波長の選択を指示する。当該波長は、例えば、図２に表すビットＡ及びＡ’、Ｂ及びＢ’、並びにＣ及びＣ’の組合せに対応するものである。制御装置１６６ａは、また、ＷＳＳ１２６ａに対し、情報送付用ダミー光の生成を指示する。
【００６５】
ダミー光源１３１ａは、制御装置１６６ａの指示に従い、ＡＳＥダミー光を生成する。ダミー光源１３１ａは、生成したＡＳＥダミー光をＷＳＳ１２６ａに入力する。
【００６６】
ＷＳＳ１２６ａは、制御装置１６６ａの指示に従い、複数の波長を選択する。ＷＳＳ１２６ａは、また、制御装置１６６ａの指示に従い、選択した波長の光をＡＳＥダミー光から取得する。ＷＳＳ１２６ａは、取得した各波長の光の電力を調整する。そして、ＷＳＳ１２６ａは、電力を調整した各波長の光を図２に表すように組み合わせることにより、情報送付用ダミー光を生成する。
【００６７】
ＷＳＳ１２６ａは、生成した情報送付用ダミー光を、所定のタイミングで、ＣＰＬ１２１ａに入力する。当該タイミングは、図２に表す位置に、運用回線光やダミー光と時間軸上で重ならないように、情報送付用ダミー光が挿入されるタイミングである。
【００６８】
ＷＳＳ１２６ａは、また、ダミー光源１３１ａから入力されたＡＳＥダミー光を所定のタイミングで、ＣＰＬ１２１ａに入力する。当該タイミングは、図２に表す位置に、運用回線光や情報送付用ダミー光と時間軸上で重ならないように、ダミー光が挿入されるタイミングである。
【００６９】
ＣＰＬ１２１ａは、ＷＤＭ１１１ａからの光信号（図２に表す運用回線光）に、ＷＳＳ１２６ａから送られたダミー光及び情報送付用ダミー光をカップリングする。そして、ＣＰＬ１２１ａは、カップリング後の光信号を光ファイバ１６１ａに入力する。前述のように、ＷＳＳ１２６ａから送られたダミー光、情報送付用ダミー光及びＷＤＭ１１１ａから送られた光信号の各々は、時間軸上で互いに重ならないように調整されている。
【００７０】
端局１０１ｂは、図１に表すＷＤＭ１１１ｂ及び終端装置１１６ｂに加えて、制御装置１６６ｂと、監視装置１５６ｂとを備える、
制御装置１６６ｂは、ＯＣＭ１３６ｄに、ＣＰＬ１２１ｄから入力された光信号の品質を評価させる。ここで、ＯＣＭは、Ｏｐｔｉｃａｌ  Ｃｈａｎｎｅｌ  Ｍｏｎｉｔｏｒの略である。制御装置１６６ｂは、また、ＯＣＭ１３６ｄから送られた、情報送付用ダミー光から読み込んだ情報により所定の処理を行う。当該処理には、例えば、当該情報が表す内容の出力が含まれる。
【００７１】
制御装置１６６ｂは、また、ＯＣＭ１３６ｄから送られた、ＣＰＬ１２１ｄから入力された光信号の品質の評価結果を元に所定の処理を行う。当該処理には、例えば、当該評価結果の出力が含まれる。
【００７２】
監視装置１５６ｂは、ＣＰＬ１２１ｄと、ＯＣＭ１３６ｄとを備える。
【００７３】
ＣＰＬ１２１ｄは、光ファイバ１６１ｄから入力された光信号を、ＷＤＭ１１１ｂとＯＣＭ１３６ｄとに入力する。
【００７４】
ＯＣＭ１３６ｄは、制御装置１６６ｂの指示に従い、ＣＰＬ１２１ｄから入力された光信号の品質を評価する。ＯＣＭ１３６ｄは当該評価結果を制御装置１６６ｂに送る。
【００７５】
ＯＣＭ１３６ｄは、また、制御装置１６６ｂの指示に従い、ＣＰＬ１２１ｄから入力された光信号に含まれる前述の情報送付用ダミー光に含まれる情報（図３に表す第一乃至第三情報参照）を読み込む。ＯＣＭ１３６ｄは、読み込んだ情報を制御装置１６６ｂに送付する。
【００７６】
端局１０１ｃは、図１に表す終端装置１１６ｃ及びＷＤＭ１１１ｃに加えて、制御装置１６６ｃと、監視装置１５６ｃと、ダミー光生成装置１５１ａとを備える。
【００７７】
制御装置１６６ｃは、外部から入力される信号により、ダミー光源１３１ｃに対し、ＡＳＥダミー光の生成を行わせる。
【００７８】
制御装置１６６ｃは、また、ＷＳＳ１２６ｃに対し、所定の波長数の波長の選択を指示する。当該波長の選択には、前述の情報送付用ダミー光の生成のための波長の選択が含まれる。
【００７９】
制御装置１６６ｃは、また、ＷＳＳ１２６ｃに対し、前述の情報送付用ダミー光の生成を指示する。
【００８０】
制御装置１６６ｃは、また、ＯＣＭ１３６ｂから送られた、前述の情報送付用ダミー光から読み込んだ情報に対し、所定の処理を行う。当該処理には、例えば、当該情報が表す内容の出力が含まれる。
【００８１】
監視装置１５６ｃは、ＣＰＬ１２１ｂと、ＯＣＭ１３６ｂとを備える。
【００８２】
ＣＰＬ１２１ｂは、光ファイバ１６１ｂから入力された光信号を、ＷＤＭ１１１ｃとＯＣＭ１３６ｂとに入力する。
【００８３】
ＯＣＭ１３６ｂは、制御装置１６６ｃの指示に従い、ＣＰＬ１２１ｂから入力された光信号の品質を評価する。ＯＣＭ１３６ｂは当該評価結果を制御装置１６６ｃに送る。
【００８４】
ＯＣＭ１３６ｂは、また、制御装置１６６ｃの指示に従い、ＣＰＬ１２１ｂから入力された光信号に含まれる前述の情報送付用ダミー光に含まれる情報（図３に表す第一乃至第三情報参照）を読み込む。ＯＣＭ１３６ｂは、読み込んだ情報を制御装置１６６ｃに送付する。
【００８５】
ダミー光生成装置１５１ｃは、ＣＰＬ１２１ｃと、ＷＳＳ１２６ｃと、ダミー光源１３１ｃとを備える。
【００８６】
ダミー光源１３１ｃは、制御装置１６６ｃの指示に従い、ＡＳＥダミー光を生成する。ダミー光源１３１ｃは、生成したＡＳＥダミー光をＷＳＳ１２６ｃに入力する。
【００８７】
ＷＳＳ１２６ｃは、制御装置１６６ｃからの指示に従い、指示された波長数の波長を選択する。ＷＳＳ１２６ｃは、また、制御装置１６６ｃの指示に従い、選択した波長の光をＡＳＥダミー光から抽出する。そして、ＷＳＳ１２６ｃは、抽出した光の電力を調整する。ＷＳＳ１２６ｃは、さらに、情報送付用ダミー光（図２に表す情報送付用ダミー光参照）を生成する。
【００８８】
ＷＳＳ１２６ｃは、生成した情報送付用ダミー光を、所定のタイミングで、ＣＰＬ１２１ｃに入力する。当該タイミングは、図２に表す位置に情報送付用ダミー光が挿入されるタイミングである。当該タイミングで挿入された場合、情報送付用ダミー光は、図２に表す運用回線光やダミー光と時間軸上で重ならない。
【００８９】
ＷＳＳ１２６ｃは、また、ダミー光源１３１ｃから入力されたＡＳＥダミー光を所定のタイミングで、ＣＰＬ１２１ｃに入力する。当該タイミングは、図２に表す位置にダミー光が挿入されるタイミングである。当該タイミングで挿入された場合、ダミー光は、図２に表す運用回線光や情報送付用ダミー光と時間軸上で重ならない。
【００９０】
ＣＰＬ１２１ｃは、ＷＳＳ１２６ｃから送られた光信号と、ＷＤＭ１１１ｃから送られた光信号（図２に表す運用回線光）とを、合波して、光ファイバ１６１ｃに入力する。ＷＳＳ１２６ｃから送られた光信号とＷＤＭ１１１ｃから送られた光信号とは、時間軸上で互いに重ならないように調整されているのは上述の通りである。
【００９１】
図５は、図４に表す（１）乃至（５）の各段階における光信号を表すイメージ図である。
【００９２】
（１）の段階においては、光ファイバを通過する光信号は、第一ルートも第二ルートも、端局１０１ａから光ファイバ１６１ａに入力された同じ光信号である。当該光信号に含まれる情報送付用ダミー光１７１ａは、図４に表す端局１０１ａによる通信状況についての評価結果（監視情報）である。
【００９３】
（２）の段階においては、光ファイバを通過する光信号は、第一ルートのもののみである。当該信号に含まれる情報送付用ダミー光１７１ａは、端局１０１ａによる通信状況についての監視情報を表す。
【００９４】
（３）の段階においては、光ファイバを通過する光信号は、第二ルートのもののみである。当該信号に含まれる情報送付用ダミー光１７１ａは、端局１０１ａによる通信状況についての監視情報を表す。
【００９５】
（４）の段階においては、光ファイバを通過する光信号は、第二ルートのもののみである。当該信号に含まれる情報送付用ダミー光１７１ｃは、端局１０１ｃによる通信状況についての監視情報を表す。情報送付用ダミー光１７１ｃは、情報送付用ダミー光１７１ａとは、異なり得る。
【００９６】
（５）の段階においては、光ファイバを通過する光信号は、第一ルートと第二ルートの２種類が存在する。第一ルートの光信号には、端局１０１ａによる通信状況についての監視情報を表す情報送付用ダミー光１７１ａが含まれる。第二ルートの光信号には、端局１０１ｃによる通信状況についての監視情報を表す情報送付用ダミー光１７１ｃが含まれる。
【００９７】
図４に表す端局１０１ｂは、図５に表す（５）の段階の光信号を受け取る。そして、端局１０１ｂは、第一ルートの光信号に含まれる情報送付用ダミー光１７１ａの表す、端局１０１ａによる通信状況の評価結果と、第二ルートの光信号に含まれる情報送付用ダミー光１７１ｃの表す端局１０１ａによる通信状況の評価結果とを取得する。
【００９８】
これにより、端局１０１ｂは、例えば、端局１０１ａによる通信状況の評価結果と端局１０１ｃによる通信状況の評価結果とを比較することが可能になる。
【００９９】
なお、受信端局が備えるＯＣＭでのスペクトルモニタによる情報送付用ダミー信号の終端機能を持つ装置として各制御装置は、他の端局の通信状況について瞬時のリアルタイムの判定を行うことは困難な場合がある。それは、他の端局の通信状況を一回取得しただけでは、通信状況が当該他の端局の通信状況を正しく表していない場合があり得るからである。そのような場合、当該制御装置は、当該他の端局の通信状況が複数回連続一致するか等を確認する。それにより、当該制御装置は、当該他の端局の通信状況を安定して監視することが可能である。
【０１００】
なお、本実施形態の伝送システムは、冗長構成を構築した際の自動切替えを必要とする装置を備えることもできる。その場合において、前記伝送システムは、他の端局からの切替え要求と警報状態とを表す情報を、前述の情報送付用ダミー光に含めることもできる。そして、その場合、前記伝送システムは、双方向切替えが可能となる。
［効果］
各端局は、当該端局による通信状況に係る監視情報を、情報送付用ダミー信号により、他の端局に送付する。当該情報送付用ダミー信号は、ＡＳＥダミー信号に含まれる波長から選択した波長の電力を多値に設定することにより表現した情報を複数組み合わせたものである。
【０１０１】
前記他の端局は、監視情報を他の端局に送付する際に、背景技術の項で説明した監視装置の介在を必要としない。そのため、各端局は、監視装置により波長多重伝送システム全体を監視する方法と比較して、通信状況をより安定して把握することが可能である。
【０１０２】
また、情報送付用ダミー信号に用いる波長は自由に変更することが可能である。そのため、送信側端局と受信側端局の波長位置を合わせることで、全波長中ユニークに波長設定することが可能である。
【０１０３】
さらに、本発明の通信システムは、中継装置等への機能の追加が不要である。そのため、前記通信システムは、前記中継装置への部品の追加が不要である。前記中継装置は、多くの場合、海底に沈めることが前提とされるものである。そのため、前記中継装置を交換するためには、多大な労力及び費用が必要である。前記通信システムは、そのような、多大な労力及び費用を不要とし得る。
【０１０４】
図６は、本実施形態の通信装置の最小限の構成である通信装置１０１ｘの構成を表すブロック図である。
【０１０５】
通信装置１０１ｘは、設定部１６６ｘと、生成部１２６ａｘと、調整部１２６ｂｘと、合波部１２１ｘとを備える。
【０１０６】
設定部１６６ｘは、ダミー光に含まれる光の波長に含まれる波長選択肢から選択した第一波長と、予め設定された複数の送信電力選択肢から第一の通信状況に応じて選択した第一送信電力と、を設定する。
【０１０７】
生成部１２６ａｘは、前記ダミー光から前記第一波長の光を生成する。
【０１０８】
調整部１２６ｂｘは、前記第一波長の光を、前記第一送信電力の第一光に調整する。
【０１０９】
合波部１２１ｘは、前記第一光と所定の通信用の光である通信光とを時間軸上で互いに重ならないように合波した合波光を、図示しない他の通信装置に送付する。
【０１１０】
前記他の通信装置は、前記第一光の受信電力である第一受信電力から、前記第一の通信状況を取得するものである。
【０１１１】
通信装置１０１ｘは、ダミー光から生成した前記第一波長の光の送信電力を、通信装置１０１ｘの通信状況を表すように調整した前記第一光を、前記他の通信装置に向けて送付する。前記他の通信装置は、当該第一光の受信電力により、通信装置１０１ｘの前記第一の通信状況を取得する。
【０１１２】
通信装置１０１ｘにおける通信状況の前記他の通信装置による取得には、監視装置は用いられない。そのため、前記取得には、［発明が解決しようとする課題］の項で説明した、監視装置により波長多重伝送システム全体を監視する方法の課題は生じない。
【０１１３】
従い、前記他の通信装置は、通信装置１０１ｘは、より安定した通信状況の監視を可能にし得る。
【０１１４】
そのため、通信装置１０１ｘは、前記構成により、［発明の効果］の項に記載した効果を奏する。
【０１１５】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１１６】
また、前記の実施形態の一部又は全部は、以下の付記のようにも記述され得るが、以下には限られない。
【０１１７】
なお、以下の付記において、「第一光」は、より具体的には、例えば、図２に表す、ビットＡ、ビットＡ’、ビットＡとビットＡ’との組合せ、のうちのいずれか一つに対応する光である。あるいは、「第一光」は、より具体的には、例えば、図２に表す、ビットＢ、ビットＢ’、ビットＢとビットＢ’との組合せ、のうちのいずれか一つに対応する光である。
【０１１８】
また、「第１−１光」は、より具体的には、例えば、図２に表すビットＡ及びビットＡ’のうちのいずれかに対応する光である。あるいは、「第１−１光」は、より具体的には、例えば、図２に表すビットＢ及びビットＢ’のうちのいずれかに対応する光である。
【０１１９】
また、「第１−１送信電力」は、第１−１光の送信電力である。
【０１２０】
また、「第１−２光」は、より具体的には、例えば、第１−１光が、ビットＡ及びビットＡ’のいずれかに対応する光である場合において、図２に表すビットＡ及びビットＡ’の各々に対応する光のうちの、第１−１光ではない方である。あるいは、「第１−２光」は、より具体的には、例えば、第１−１光が、ビットＢ及びビットＢ’のいずれかに対応する光である場合において、図２に表すビットＢ及びビットＢ’の各々に対応する光のうちの、第１−１光ではない方である。
【０１２１】
また、第１−２送信電力は、第１−２光の送信電力である。
【０１２２】
また、「第二光」は、より具体的には、例えば、図２に表すビットＣ、ビットＣ’及びビットＣとビットＣ’との組合せ、のうちのいずれか一つに対応する光である。
【０１２３】
また、「第２−１光」は、より具体的には、例えば、図２に表すビットＣ及びビットＣ’のうちのいずれかに対応する光である。
【０１２４】
また、第２−１送信電力は、第２−１光の送信電力である。
【０１２５】
また、「第２−２光」は、より具体的には、例えば、図２に表すビットＣに対応する光及びビットＣ’に対応する光のうちの、第２−１光ではない方である。
【０１２６】
また、「第２−２送信電力」は、第２−２光の送信電力である。
【０１２７】
また、「第三光」は、より具体的には、例えば、図２に表す、ビットＡ、ビットＡ’、ビットＡとビットＡ’との組合せ、のうちのいずれか一つに対応する光である。あるいは、「第一光」は、より具体的には、例えば、図２に表す、ビットＢ、ビットＢ’、ビットＢとビットＢ’との組合せ、のうちのいずれか一つに対応する光である。
【０１２８】
また、「第３−１光」は、より具体的には、例えば、図２に表すビットＡ及びビットＡ’のうちのいずれかに対応する光である。あるいは、「第３−１光」は、より具体的には、例えば、図２に表すビットＢ及びビットＢ’のうちのいずれかに対応する光である。
【０１２９】
また、「第３−１送信電力」は、第３−１光の送信電力である。
【０１３０】
また、「第３−２光」は、より具体的には、第３−１光が図２に表すビットＡ及びビットＡ’のうちのいずれかに対応する光である場合において、ビットＡに対応する光及びビットＡ’に対応する光のうちの、第３−１光ではない方である。あるいは、「第３−２光」は、より具体的には、第３−１光が図２に表すビットＢ及びビットＢ’のうちのいずれかに対応する光である場合において、ビットＢに対応する光及びビットＢ’に対応する光のうちの、第３−１光ではない方である。
【０１３１】
また、「第３−２送信電力」は、第３−２光の送信電力である。
（付記１）
ダミー光に含まれる光の波長に含まれる波長選択肢から選択した第一波長と、予め設定された複数の送信電力選択肢から第一の通信状況に応じて選択した第一送信電力と、を設定する設定手段と、
前記ダミー光から前記第一波長の光を生成する生成手段と、
前記第一波長の光を、前記第一送信電力の第一光に調整する調整手段と、
前記第一光と、所定の通信用の光である通信光とを、時間軸上で互いに重ならないように合波した合波光を、他の通信装置に送付する合波手段と、
を備え、
前記他の通信装置は、前記第一光の受信電力である第一受信電力から、前記第一の通信状況を取得するものである、
通信装置。
（付記２）
前記第一光が、第１−１送信電力の第１−１光と、前記第１−１光を平均送信電力に対して反転させた第１−２送信電力の第１−２光とを、時間軸上で互いに重ならないように組み合わせたものである、付記１に記載された通信装置。
（付記３）
前記第一の通信状況を取得する第一取得手段をさらに備える、付記１又は付記２に記載された通信装置。
（付記４）
前記第一取得手段が、ＯＣＭ（Ｏｐｔｉｃａｌ  Ｃｈａｎｎｅｌ  Ｍｏｎｉｔｏｒ）を備える、付記３に記載された通信装置。
（付記５）
前記第一の通信状況が受信状況である、付記１乃至付記４のうちのいずれか一に記載された通信装置。
（付記６）
前記第一の通信状況が送信状況である、付記１乃至付記５のうちのいずれか一に記載された通信装置。
（付記７）
自らの識別情報を備え、
前記設定手段が、前記波長選択肢から選択した第二波長と、予め設定された複数の通信装置選択肢から前記識別情報に応じて選択した第二送信電力と、を設定し、
前記生成手段が、前記第二波長の光を前記ダミー光から生成し、
前記調整手段が、前記第二波長の光を、前記第二送信電力の第二光にし、
前記合波手段が、前記第二光と前記通信光とを、時間軸上で互いに重ならないように合波した光とを、前記他の通信装置に接続された光ファイバに入力し、
前記他の通信装置は、前記第二光に係る受信電力である第二受信電力から、前記識別情報を取得するものである、
付記１乃至付記６のうちのいずれか一に記載された通信装置。
（付記８）
前記第二光が、第２−１送信電力の第２−１光と、前記第２−１光を平均送信電力に対して反転させた第２−２送信電力の第２−２光とを、時間軸上で互いに重ならないように組み合わせたものである、付記７に記載された通信装置。
（付記９）
前記第二光が、第２−１送信電力の第２−１光と、前記第２−１光をゼロレベルの送信電力に対して反転させた第２−２送信電力の第２−２光とを、時間軸上で互いに重ならないように組み合わせたものである、付記７に記載された通信装置。
（付記１０）
前記設定手段が、前記波長選択肢から選択した第三波長と、前記送信電力選択肢から第二の通信状況に応じて選択した第三送信電力と、を設定し、
前記生成手段が、前記第三波長の光を前記ダミー光から生成し、
前記調整手段が、前記第三波長の光を、前記第三送信電力の第三光にし、
前記合波手段が、前記第三光と前記通信光とを、時間軸上で互いに重ならないように合波した光を、前記他の通信装置に接続された光ファイバに入力し、
前記他の通信装置は、前記第三光に係る受信電力である第三受信電力から、前記第二の通信状況を取得するものである、
付記１乃至付記９のうちのいずれか一に記載された通信装置。
（付記１１）
前記第三光が、第３−１送信電力の第３−１光と、前記第３−１光を平均送信電力に対して反転させた第３−２送信電力の第３−２光とを、時間軸上で互いに重ならないように組み合わせたものである、付記１０に記載された通信装置。
（付記１２）
前記第三光が、第３−１送信電力の第３−１光と、前記第３−１光をゼロレベルの送信電力に対して反転させた第３−２送信電力の第３−２光とを、時間軸上で互いに重ならないように組み合わせたものである、付記１０に記載された通信装置。
（付記１３）
前記第二の通信状況を取得する第二取得手段をさらに備える、付記１０乃至付記１２のうちのいずれか一に記載された通信装置。
（付記１４）
前記第二取得手段が、ＯＣＭ（Ｏｐｔｉｃａｌ  Ｃｈａｎｎｅｌ  Ｍｏｎｉｔｏｒ）を備える、付記１３に記載された通信装置。
（付記１５）
前記第二の通信状況が受信状況である、付記１０乃至付記１４のうちのいずれか一に記載された通信装置。
（付記１６）
前記第二の通信状況が送信状況である、付記１０乃至付記１５のうちのいずれか一に記載された通信装置。
（付記１７）
前記生成手段が、ＷＳＳ（Ｗａｖｅｌｅｎｇｔｈ  Ｓｅｌｅｃｔｉｖｅ  Ｓｗｉｔｃｈ）を備える、付記１乃至付記１６のうちのいずれか一に記載された通信装置。
（付記１８）
前記合波手段が、光カプラーを備える、付記１乃至付記１７のうちのいずれか一に記載された通信装置。
（付記１９）
付記１乃至付記１８のうちのいずれか一に記載の通信装置と、前記他の通信装置とを備える通信システム。
（付記２０）
前記他の通信装置は、前記第一光の受信電力である第一受信電力から、前記第一の通信状況を取得する取得手段を備える、付記１９に記載された通信システム。
（付記２１）
ダミー光に含まれる光の波長に含まれる波長選択肢から選択した第一波長と、予め設定された複数の送信電力選択肢から第一の通信状況に応じて選択した第一送信電力と、を設定し、
前記ダミー光から前記第一波長の光を生成し、
前記第一波長の光を、前記第一送信電力の第一光に調整し、
前記第一光と、所定の通信用の光である通信光とを、時間軸上で互いに重ならないように合波した合波光を、他の通信装置に送付する、
第一の通信装置、
が送付する前記第一光の受信電力である第一受信電力から、前記第一の通信状況を取得する取得手段を備える通信機器。
（付記２２）
前記取得手段が、ＯＣＭ（Ｏｐｔｉｃａｌ  Ｃｈａｎｎｅｌ  Ｍｏｎｉｔｏｒ）を備え、前記ＯＣＭが前記第一受信電力から前記第一の通信状況を取得する、付記２１に記載された通信機器。
（付記２３）
ダミー光に含まれる光の波長に含まれる波長選択肢から選択した第一波長と、予め設定された複数の送信電力選択肢から第一の通信状況に応じて選択した第一送信電力と、を設定し、
前記ダミー光から前記第一波長の光を生成し、
前記第一波長の光を、前記第一送信電力の第一光に調整し、
前記第一光と、所定の通信用の光である通信光とを、時間軸上で互いに重ならないように合波した合波光を、他の通信装置に接続された光ファイバに入力し、
前記他の通信装置は、前記第一光の受信電力である第一受信電力から、前記第一の通信状況を取得する、
通信方法。
【０１３２】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１３３】
この出願は、２０１７年３月２９日に出願された日本出願特願２０１７−０６４３５９を基礎とする優先権を主張し、その開示の全てをここに取り込む。
【符号の説明】
【０１３４】
１００    通信システム
１０１ａ、１０１ｂ、１０１ｃ    端局
１０１ｘ    通信装置
１０６    第一ルート回線
１０７    第二ルート回線
１１１ａ、１１１ｂ、１１１ｃ    ＷＤＭ
１１６ａ、１１６ｂ、１１６ｃ    終端装置
１２１ａ、１２１ｃ    ＣＰＬ
１２１ｘ    合波部
１２６ａ、１２６ｃ    ＷＳＳ
１２６ａｘ    生成部
１２６ｂｘ    調整部
１３１ａ、１３１ｃ    ダミー光源
１４１ａ    分岐装置
１５１ａ、１５１ｃ    ダミー光生成装置
１５６ｂ、１５６ｃ    監視装置
１６１ａ、１６１ｂ、１６１ｃ    光ファイバ
１６６ａ、１６６ｂ、１６６ｃ    制御装置
１６６ａｘ    設定部
１７１ａ、１７１ｃ    情報送付用ダミー光
【図１】
0006780773.tif 000002
【図２】
0006780773.tif 000003
【図３】
0006780773.tif 000004
【図４】
0006780773.tif 000005
【図５】
0006780773.tif 000006
【図６】
0006780773.tif 000007